(57)【要約】  ワイヤレス通信ネットワーク内でのマルチキャストグループのマルチキャストグループメンバーからの肯定応答送信を管理する観点を開示する。アクセスネットワークが、マルチキャストセッションをアナウンスするアナウンスメッセージを複数のアクセス端末に送信する。複数のアクセス端末のうちの１つ（すなわち、最初の応答機）が、ＢＣＭＣＳフロー登録メッセージとアナウンス肯定応答（ＡＣＫ）メッセージとをアクセスネットワークに送る。例では、ＢＣＭＣＳフロー登録メッセージおよびアナウンスＡＣＫメッセージは、リバースリンクアクセスチャネル上の同じアクセスプローブ内で送られる。次に、アクセスネットワークは、受け取ったＢＣＭＣＳフロー登録メッセージに応答して、アナウンスされたマルチキャストセッションに対するアナウンス肯定応答メッセージを送らないようにアクセス端末に要求するための抑制メッセージを送る。【選択図】    図１
2010541389.tif 000002
【特許請求の範囲】
【請求項１】
ワイヤレス通信ネットワーク内でのマルチキャストアナウンスメッセージに対する肯定応答を抑制する方法において、
マルチキャストセッションをアナウンスするアナウンスメッセージを複数のアクセス端末に送ることと、
前記アナウンスメッセージに応答して、少なくとも１つの応答メッセージを前記複数のアクセス端末のうちの１つから受け取ることと、
前記受け取った少なくとも１つの応答メッセージに応答して、前記アナウンスされたマルチキャストセッションに対するアナウンス肯定応答メッセージを送らないようにアクセス端末に要求するための抑制メッセージを送ることとを含む方法。
【請求項２】
前記受け取るステップは、アクセス端末が前記アナウンスメッセージに対する応答メッセージを送ることを試行しようとする方法を示すアクセス制御メッセージ（ＡＣＭ）にしたがって、前記少なくとも１つの応答メッセージを受け取る請求項１記載の方法。
【請求項３】
前記ＡＣＭは、そのアクセス端末から前記少なくとも１つの応答メッセージが受け取られた前記アクセス端末に対して、前記ＡＣＭによって示された応答順序中の第１の位置を指定する請求項２記載の方法。
【請求項４】
前記少なくとも１つの応答メッセージは、前記送信されたアナウンスメッセージが受け取られたことを肯定応答するアナウンス肯定応答メッセージを含む請求項１記載の方法。
【請求項５】
前記少なくとも１つの応答メッセージは、前記アナウンスされたマルチキャストセッションに対する登録を要求するマルチキャスト登録メッセージを含む請求項１記載の方法。
【請求項６】
前記マルチキャスト登録メッセージは、ＢＣＭＣＳフロー登録メッセージである請求項５記載の方法。
【請求項７】
前記少なくとも１つの応答メッセージは、（ｉ）前記送信されたアナウンスメッセージが受け取られたことを肯定応答するアナウンス肯定応答メッセージと、（ｉｉ）前記アナウンスされたマルチキャストセッションに対する登録を要求するマルチキャスト登録メッセージとを含む請求項１記載の方法。
【請求項８】
前記アナウンス肯定応答メッセージおよび前記マルチキャスト登録メッセージは、リバースリンクチャネル上の単一のアクセスプローブ内で共に束ねられる請求項７記載の方法。
【請求項９】
前記送るステップおよび受け取るステップは、アプリケーションサーバにおいて実行される請求項１記載の方法。
【請求項１０】
前記抑制メッセージは、１ｘＥＶ−ＤＯ標準規格によって規定されていないプロプラエタリメッセージフォーマットを有する請求項１記載の方法。
【請求項１１】
前記送るステップおよび受け取るステップは、アクセスネットワークにおいて実行される請求項１記載の方法。
【請求項１２】
前記抑制メッセージは、ブロードキャストオーバーヘッドメッセージ（ＢＯＭ）、または、１ｘＥＶ−ＤＯ標準規格によって規定されていないフォーマットを有するプロプラエタリメッセージに相当する請求項１１記載の方法。
【請求項１３】
前記ＢＯＭは、ＢＯＭに対して予約されたダウンリンク制御チャネルの少なくとも１つの予約されたスロットにおいて送られるか、または、前記ダウンリンク制御チャネルの前記少なくとも１つの予約されたスロットよりも、より早い少なくとも１つのスロットにおいて送られる請求項１２記載の方法。
【請求項１４】
前記少なくとも１つのより早いスロットは、前記少なくとも１つの応答メッセージを受け取ることに続く、前記ダウンリンク制御チャネル上の第１の利用可能なスロットである請求項１３記載の方法。
【請求項１５】
前記ワイヤレス通信システムの１つ以上のセクタにおいて、前記マルチキャストセッションをサポートするために十分なリソースが利用可能であるか否かを決定することをさらに含み、
前記送るステップは、前記マルチキャストセッションをサポートするのに十分なリソースを持たないと決定されたセクタにおいて前記抑制メッセージを送る請求項１記載の方法。
【請求項１６】
前記抑制メッセージは、前記アナウンスされたマルチキャストセッションを無視するように前記アクセス端末にさらに知らせる請求項１５記載の方法。
【請求項１７】
前記抑制メッセージは、ブロードキャスト拒否メッセージ（ＢＲＭ）である請求項１記載の方法。
【請求項１８】
前記送るステップは、前記少なくとも１つの応答メッセージを送った前記アクセス端末を含むセクタ内に前記抑制メッセージを送る請求項１記載の方法。
【請求項１９】
前記送るステップは、前記アナウンスメッセージが所定のマルチキャストセッションをアナウンスしたそれぞれのセクタにおいて前記抑制メッセージを送る請求項１８記載の方法。
【請求項２０】
前記送るステップは、前記ワイヤレス通信ネットワーク内の所定のクラスタにおいて前記抑制メッセージを送り、前記クラスタは、前記アナウンスメッセージが前記所定のマルチキャストセッションをアナウンスしたセクタのサブセットである請求項１記載の方法。
【請求項２１】
前記クラスタは、ダウンリンクブロードキャストチャネルの所定のインターレースマルチプレクスペア上で前記マルチキャストフローを伝える、連続的な組のセクタを含む請求項２０記載の方法。
【請求項２２】
前記クラスタは、前記所定のマルチキャストセッションに参加している１つ以上のアクセス端末を含むと予測される少なくとも１つのターゲットセクタと、前記所定のマルチキャストセッションに参加している何らかのアクセス端末を含むと予測されない少なくとも１つのサポーティングセクタとを含む請求項２０記載の方法。
【請求項２３】
ワイヤレス通信ネットワーク内でのマルチキャストアナウンスメッセージに対する肯定応答を抑制する方法において、
アクセス端末において、マルチキャストセッションをアナウンスするアナウンスメッセージを受け取ることと、
前記アクセス端末において、前記アナウンスされたマルチキャストセッションに対するアナウンス肯定応答メッセージを送信しないように前記アクセス端末に要求する抑制メッセージを受け取ることと、
前記受け取った抑制メッセージに応答して、前記アナウンス肯定応答メッセージの送信を抑制することとを含み、
前記アナウンスされたマルチキャストセッションは、前記アクセス端末が監視することを望むマルチキャストセッションである方法。
【請求項２４】
前記アクセス端末が前記アナウンス肯定応答メッセージを送ることを試行しようとする方法を示すアクセス制御メッセージ（ＡＣＭ）を受け取ることをさらに含み、
前記アクセス端末は、前記アクセス端末が前記ＡＣＭにしたがって前記試行を行う前に前記抑制メッセージを受け取る請求項２３記載の方法。
【請求項２５】
前記抑制メッセージは、アプリケーションサーバにおいて送出する請求項２３記載の方法。
【請求項２６】
前記アクセス端末は、前記抑制メッセージを、前記アナウンスされたマルチキャストセッションに対する前記アナウンス肯定応答メッセージを送らない要求として認識するように構成されている請求項２３記載の方法。
【請求項２７】
前記抑制メッセージは、アクセスネットワークにおいて送出する請求項２３記載の方法。
【請求項２８】
前記抑制メッセージは、ブロードキャストオーバーヘッドメッセージ（ＢＯＭ）と、１ｘＥＶ−ＤＯ標準規格によって規定されていないフォーマットを有するプロプラエタリメッセージとのうちの１つに相当する請求項２７記載の方法。
【請求項２９】
前記ＢＯＭは、ＢＯＭに対して予約されたダウンリンク制御チャネルの少なくとも１つの予約されたスロットにおいて送られるか、または、前記ダウンリンク制御チャネルの前記少なくとも１つの予約されたスロットよりも、より早い少なくとも１つのスロットにおいて送られる請求項２８記載の方法。
【請求項３０】
前記少なくとも１つのより早いスロットは、前記アナウンス肯定応答メッセージを受け取ることに続く、前記ダウンリンク制御チャネル上の第１の利用可能なスロットである請求項２９記載の方法。
【請求項３１】
前記アナウンスメッセージを受け取った後に、前記アクセス端末において前記ダウンリンク制御チャネルを監視して、抑制メッセージが受け取られているか否かを決定することをさらに含む請求項２９記載の方法。
【請求項３２】
前記監視するステップは、前記ダウンリンク制御チャネルの前記少なくとも１つの予約されたスロットと、前記ダウンリンク制御チャネルの前記少なくとも１つのより早いスロットとを監視することを含む請求項３１記載の方法。
【請求項３３】
前記監視するステップは、前記アナウンスメッセージを受け取った後に、前記ダウンリンク制御チャネルのそれぞれの同期制御チャネルを監視することを含む請求項３１記載の方法。
【請求項３４】
前記監視するステップは、前記アナウンスメッセージを受け取った後に、前記ダウンリンク制御チャネルのそれぞれの同期制御チャネルカプセルおよび亜同期制御チャネルカプセルを監視することを含む請求項３１記載の方法。
【請求項３５】
前記監視するステップは、前記アナウンスメッセージを受け取った後に、前記ダウンリンク制御チャネルの、それぞれの同期制御チャネルカプセル、亜同期制御チャネルカプセル、非同期制御チャネルカプセルを監視する請求項３３記載の方法。
【請求項３６】
前記抑制メッセージは、前記アナウンスされたマルチキャストセッションを無視するように前記アクセス端末に通知する請求項２３記載の方法。
【請求項３７】
前記抑制メッセージは、ブロードキャスト拒否メッセージ（ＢＲＭ）である請求項３６記載の方法。
【請求項３８】
前記ＢＲＭは、前記アナウンスされたマルチキャストセッションをサポートするために十分なリソースがサービング基地局において利用可能でない場合に受け取られる請求項３７記載の方法。
【請求項３９】
ワイヤレス通信ネットワーク内でのマルチキャストアナウンスメッセージに対する肯定応答を送る方法において、
アクセス端末において、マルチキャストセッションをアナウンスするアナウンスメッセージを受け取ることと、
前記アクセス端末に対して前記アナウンスされたマルチキャストセッションに対する登録を要求するマルチキャスト登録メッセージと、前記アナウンスメッセージが受け取られたことを肯定応答するアナウンス肯定応答メッセージとを、前記アクセス端末から送ることとを含み、
前記アナウンスされたマルチキャストセッションは、前記アクセス端末が監視することを望むマルチキャストセッションであり、
前記マルチキャスト登録メッセージおよびアナウンス肯定応答メッセージは、リバースリンクチャネル上の同じアクセスプローブ内でアクセスネットワークに送られる方法。
【請求項４０】
前記アクセス端末が前記アナウンスメッセージに対する応答メッセージを送ることを試行しようとする方法を示すアクセス制御メッセージ（ＡＣＭ）を受け取ることと、
前記ＡＣＭに基づいて、その上で、前記マルチキャスト登録メッセージと前記アナウンス肯定応答とを送る前記アクセスプローブを選択することとをさらに含む請求項３９記載の方法。
【請求項４１】
前記マルチキャスト登録メッセージは、ＢＣＭＣＳフロー登録メッセージである請求項３９記載の方法。
【請求項４２】
前記マルチキャスト登録メッセージおよび前記アナウンス肯定応答メッセージが、前記リバースリンクチャネル上の同じアクセスプローブ上で共に送られるように、前記送るステップは、前記マルチキャスト登録メッセージと、前記アナウンス肯定応答メッセージとのうちの少なくとも１つの送信を遅延させる請求項３９記載の方法。
【請求項４３】
ワイヤレス通信システムにおいて、
マルチキャストセッションをアナウンスするアナウンスメッセージを複数のアクセス端末に送るように構成されているロジックと、
前記アナウンスメッセージに応答して、少なくとも１つの応答メッセージを前記複数のアクセス端末のうちの１つから受け取るように構成されているロジックと、
前記受け取った少なくとも１つの応答メッセージに応答して、前記アナウンスされたマルチキャストセッションに対するアナウンス肯定応答メッセージを送らないようにアクセス端末に要求するための抑制メッセージを送るように構成されているロジックとを具備するワイヤレス通信システム。
【請求項４４】
前記受け取るように構成されているロジックは、前記アクセス端末が前記アナウンスメッセージに対する応答メッセージを送ることを試行しようとする方法を示すアクセス制御メッセージ（ＡＣＭ）にしたがって、前記少なくとも１つの応答メッセージを受け取る請求項４３記載のワイヤレス通信システム。
【請求項４５】
前記少なくとも１つの応答メッセージは、（ｉ）前記送信されたアナウンスメッセージが受け取られたことを肯定応答するアナウンス肯定応答メッセージと、（ｉｉ）前記アナウンスされたマルチキャストセッションに対する登録を要求するマルチキャスト登録メッセージと、のうちの少なくとも１つを含む請求項４３記載のワイヤレス通信システム。
【請求項４６】
前記アナウンス肯定応答メッセージおよび前記マルチキャスト登録メッセージは、リバースリンクチャネル上の単一のアクセスプローブ内で共に束ねられる請求項４５記載のワイヤレス通信システム。
【請求項４７】
前記抑制メッセージは、ブロードキャストオーバーヘッドメッセージ（ＢＯＭ）、または、１ｘＥＶ−ＤＯ標準規格によって規定されていないフォーマットを有するプロプラエタリメッセージに相当する請求項４６記載のワイヤレス通信システム。
【請求項４８】
前記ＢＯＭは、ＢＯＭに対して予約されたダウンリンク制御チャネルの少なくとも１つの予約されたスロットにおいて送られるか、または、前記ダウンリンク制御チャネルの前記少なくとも１つの予約されたスロットよりも、より早い少なくとも１つのスロットにおいて送られる請求項４７記載のワイヤレス通信システム。
【請求項４９】
前記ワイヤレス通信システムの１つ以上のセクタにおいて、前記マルチキャストセッションをサポートするために十分なリソースが利用可能であるか否かを決定するように構成されているロジックをさらに具備し、
前記抑制メッセージを送るように構成されているロジックは、前記マルチキャストセッションをサポートするのに十分なリソースを持たないと決定されたセクタにおいて前記抑制メッセージを送る請求項４３記載のワイヤレス通信システム。
【請求項５０】
前記抑制メッセージは、ブロードキャスト拒否メッセージ（ＢＲＭ）である請求項４３記載のワイヤレス通信システム。
【請求項５１】
アクセス端末において、
マルチキャストセッションをアナウンスするアナウンスメッセージを受け取るように構成されているロジックと、
前記アナウンスされたマルチキャストセッションに対するアナウンス肯定応答メッセージを送信しないように前記アクセス端末に要求する抑制メッセージを受け取るように構成されているロジックと、
前記受け取った抑制メッセージに応答して、前記アナウンス肯定応答メッセージの送信を抑制するように構成されているロジックとを具備し、
前記アナウンスされたマルチキャストセッションは、前記アクセス端末が監視することを望むマルチキャストセッションであるアクセス端末。
【請求項５２】
前記アクセス端末が前記アナウンス肯定応答メッセージを送ることを試行しようとする方法を示すアクセス制御メッセージ（ＡＣＭ）を受け取るように構成されているロジックをさらに具備し、
前記アクセス端末は、前記アクセス端末が前記ＡＣＭにしたがって前記試行を行う前に前記抑制メッセージを受け取る請求項５１記載のアクセス端末。
【請求項５３】
前記抑制メッセージは、ブロードキャストオーバーヘッドメッセージ（ＢＯＭ）と、１ｘＥＶ−ＤＯ標準規格によって規定されていないフォーマットを有するプロプラエタリメッセージとのうちの１つに相当する請求項５１記載のアクセス端末。
【請求項５４】
前記ＢＯＭは、ＢＯＭに対して予約されたダウンリンク制御チャネルの少なくとも１つの予約されたスロットにおいて送られるか、または、前記ダウンリンク制御チャネルの前記少なくとも１つの予約されたスロットよりも、より早い少なくとも１つのスロットにおいて送られる請求項５３記載のアクセス端末。
【請求項５５】
前記アナウンスメッセージを受け取った後に、前記ダウンリンク制御チャネルを監視し、抑制メッセージが受け取られているか否かを決定するように構成されているロジックをさらに具備する請求項５４記載のアクセス端末。
【請求項５６】
前記抑制メッセージは、ブロードキャスト拒否メッセージ（ＢＲＭ）である請求項５１記載のアクセス端末。
【請求項５７】
アクセス端末において、
マルチキャストセッションをアナウンスするアナウンスメッセージを受け取るように構成されているロジックと、
前記アクセス端末に対して前記アナウンスされたマルチキャストセッションに対する登録を要求するマルチキャスト登録メッセージと、前記アナウンスメッセージが受け取られたことを肯定応答するアナウンス肯定応答メッセージとを送るように構成されているロジックとを具備し、
前記アナウンスされたマルチキャストセッションは、前記アクセス端末が監視することを望むマルチキャストセッションであり、
前記マルチキャスト登録メッセージおよびアナウンス肯定応答メッセージは、リバースリンクチャネル上の同じアクセスプローブ内でアクセスネットワークに送られるアクセス端末。
【請求項５８】
前記アクセス端末が前記アナウンスメッセージに対する応答メッセージを送ることを試行しようとする方法を示すアクセス制御メッセージ（ＡＣＭ）を受け取るように構成されているロジックと、
前記ＡＣＭに基づいて、その上で、前記マルチキャスト登録メッセージと前記アナウンス肯定応答メッセージとを送る前記アクセスプローブを選択するように構成されているロジックとをさらに具備する請求項５７記載のアクセス端末。
【請求項５９】
前記マルチキャスト登録メッセージおよび前記アナウンス肯定応答メッセージが、前記リバースリンクチャネル上の同じアクセスプローブ上で共に送られるように、前記送るように構成されているロジックは、前記マルチキャスト登録メッセージと前記アナウンス肯定応答メッセージとのうちの少なくとも１つの送信を遅延させる請求項５７記載のアクセス端末。
【請求項６０】
ワイヤレス通信システムにおいて、
マルチキャストセッションをアナウンスするアナウンスメッセージを複数のアクセス端末に送る手段と、
前記アナウンスメッセージに応答して、少なくとも１つの応答メッセージを前記複数のアクセス端末のうちの１つから受け取る手段と、
前記受け取った少なくとも１つの応答メッセージに応答して、前記アナウンスされたマルチキャストセッションに対するアナウンス肯定応答メッセージを送らないようにアクセス端末に要求するための抑制メッセージを送る手段とを具備するワイヤレス通信システム。
【請求項６１】
前記受け取る手段は、アクセス端末が前記アナウンスメッセージに対する応答メッセージを送ることを試行しようとする方法を示すアクセス制御メッセージ（ＡＣＭ）にしたがって、前記少なくとも１つの応答メッセージを受け取る請求項６０記載のワイヤレス通信システム。
【請求項６２】
前記少なくとも１つの応答メッセージは、（ｉ）前記送信されたアナウンスメッセージが受け取られたことを肯定応答するアナウンス肯定応答メッセージと、（ｉｉ）前記アナウンスされたマルチキャストセッションに対する登録を要求するマルチキャスト登録メッセージと、のうちの少なくとも１つを含む請求項６０記載のワイヤレス通信システム。
【請求項６３】
前記アナウンス肯定応答メッセージおよび前記マルチキャスト登録メッセージは、リバースリンクチャネル上の単一のアクセスプローブ内で共に束ねられる請求項６２記載のワイヤレス通信システム。
【請求項６４】
前記抑制メッセージは、ブロードキャストオーバーヘッドメッセージ（ＢＯＭ）、または、１ｘＥＶ−ＤＯ標準規格によって規定されていないフォーマットを有するプロプラエタリメッセージに相当する請求項６３記載のワイヤレス通信システム。
【請求項６５】
前記ＢＯＭは、ＢＯＭに対して予約されたダウンリンク制御チャネルの少なくとも１つの予約されたスロットにおいて送られるか、または、前記ダウンリンク制御チャネルの前記少なくとも１つの予約されたスロットよりも、より早い少なくとも１つのスロットにおいて送られる請求項６４記載のワイヤレス通信システム。
【請求項６６】
前記ワイヤレス通信システムの１つ以上のセクタにおいて、前記マルチキャストセッションをサポートするために十分なリソースが利用可能であるか否かを決定することをさらに具備し、
前記抑制メッセージを送る手段は、前記マルチキャストセッションをサポートするのに十分なリソースを持たないと決定されたセクタにおいて前記抑制メッセージを送る請求項６０記載のワイヤレス通信システム。
【請求項６７】
前記抑制メッセージは、ブロードキャスト拒否メッセージ（ＢＲＭ）である請求項６０記載のワイヤレス通信システム。
【請求項６８】
アクセス端末において、
マルチキャストセッションをアナウンスするアナウンスメッセージを受け取る手段と、
前記アナウンスされたマルチキャストセッションに対するアナウンス肯定応答メッセージを送信しないように前記アクセス端末に要求する抑制メッセージを受け取る手段と、
前記受け取った抑制メッセージに応答して、前記アナウンス肯定応答メッセージの送信を抑制する手段とを具備し、
前記アナウンスされたマルチキャストセッションは、前記アクセス端末が監視することを望むマルチキャストセッションであるアクセス端末。
【請求項６９】
前記アクセス端末が前記アナウンス肯定応答メッセージを送ることを試行しようとする方法を示すアクセス制御メッセージ（ＡＣＭ）を受け取る手段をさらに具備し、
前記アクセス端末は、前記アクセス端末が前記ＡＣＭにしたがって前記試行を行う前に前記抑制メッセージを受け取る請求項６８記載のアクセス端末。
【請求項７０】
前記抑制メッセージは、ブロードキャストオーバーヘッドメッセージ（ＢＯＭ）と、１ｘＥＶ−ＤＯ標準規格によって規定されていないフォーマットを有するプロプラエタリメッセージとのうちの１つに相当する請求項６８記載のアクセス端末。
【請求項７１】
前記ＢＯＭは、ＢＯＭに対して予約されたダウンリンク制御チャネルの少なくとも１つの予約されたスロットにおいて送られるか、または、前記ダウンリンク制御チャネルの前記少なくとも１つの予約されたスロットよりも、より早い少なくとも１つのスロットにおいて送られる請求項７０記載のアクセス端末。
【請求項７２】
前記アナウンスメッセージを受け取った後に、前記ダウンリンク制御チャネルを監視し、抑制メッセージが受け取られているか否かを決定する手段をさらに具備する請求項７１記載のアクセス端末。
【請求項７３】
前記抑制メッセージは、ブロードキャスト拒否メッセージ（ＢＲＭ）である請求項６８記載のアクセス端末。
【請求項７４】
アクセス端末において、
マルチキャストセッションをアナウンスするアナウンスメッセージを受け取る手段と、
前記アクセス端末に対して前記アナウンスされたマルチキャストセッションに対する登録を要求するマルチキャスト登録メッセージと、前記アナウンスメッセージが受け取られたことを肯定応答するアナウンス肯定応答メッセージとを送る手段とを具備し、
前記アナウンスされたマルチキャストセッションは、前記アクセス端末が監視することを望むマルチキャストセッションであり、
前記マルチキャスト登録メッセージおよびアナウンス肯定応答メッセージは、リバースリンクチャネル上の同じアクセスプローブ内でアクセスネットワークに送られるアクセス端末。
【請求項７５】
前記アクセス端末が前記アナウンスメッセージに対する応答メッセージを送ることを試行しようとする方法を示すアクセス制御メッセージ（ＡＣＭ）を受け取る手段と、
前記ＡＣＭに基づいて、その上で、前記マルチキャスト登録メッセージと前記アナウンス肯定応答メッセージとを送る前記アクセスプローブを選択する手段とをさらに具備する請求項７４記載のアクセス端末。
【請求項７６】
前記マルチキャスト登録メッセージおよび前記アナウンス肯定応答メッセージが、前記リバースリンクチャネル上の同じアクセスプローブ上で共に送られるように、前記送る手段は、前記マルチキャスト登録メッセージと前記アナウンス肯定応答メッセージとのうちの少なくとも１つの送信を遅延させる請求項７４記載のアクセス端末。
【請求項７７】
記憶されているプログラムコードを含むコンピュータ読み取り可能媒体において、
前記プログラムコードは、
複数のセクタを含むワイヤレス通信システム内で動作するように構成され、
マルチキャストセッションをアナウンスするアナウンスメッセージを複数のアクセス端末に送るためのプログラムコードと、
前記アナウンスメッセージに応答して、少なくとも１つの応答メッセージを前記複数のアクセス端末のうちの１つから受け取るためのプログラムコードと、
前記受け取った少なくとも１つの応答メッセージに応答して、前記アナウンスされたマルチキャストセッションに対するアナウンス肯定応答メッセージを送らないようにアクセス端末に要求するための抑制メッセージを送るためのプログラムコードとを含むコンピュータ読み取り可能媒体。
【請求項７８】
前記受け取るためのプログラムコードは、アクセス端末が前記アナウンスメッセージに対する応答メッセージを送ることを試行しようとする方法を示すアクセス制御メッセージ（ＡＣＭ）にしたがって、前記少なくとも１つの応答メッセージを受け取る請求項７７記載のコンピュータ読み取り可能媒体。
【請求項７９】
前記少なくとも１つの応答メッセージは、（ｉ）前記送信されたアナウンスメッセージが受け取られたことを肯定応答するアナウンス肯定応答メッセージと、（ｉｉ）前記アナウンスされたマルチキャストセッションに対する登録を要求するマルチキャスト登録メッセージと、のうちの少なくとも１つを含む請求項７７記載のコンピュータ読み取り可能媒体。
【請求項８０】
前記アナウンス肯定応答メッセージおよび前記マルチキャスト登録メッセージは、リバースリンクチャネル上の単一のアクセスプローブ内で共に束ねられる請求項７９記載のコンピュータ読み取り可能媒体。
【請求項８１】
前記抑制メッセージは、ブロードキャストオーバーヘッドメッセージ（ＢＯＭ）、または、１ｘＥＶ−ＤＯ標準規格によって規定されていないフォーマットを有するプロプラエタリメッセージに相当する請求項８０記載のコンピュータ読み取り可能媒体。
【請求項８２】
前記ＢＯＭは、ＢＯＭに対して予約されたダウンリンク制御チャネルの少なくとも１つの予約されたスロットにおいて送られるか、または、前記ダウンリンク制御チャネルの前記少なくとも１つの予約されたスロットよりも、より早い少なくとも１つのスロットにおいて送られる請求項８１記載のコンピュータ読み取り可能媒体。
【請求項８３】
前記ワイヤレス通信システムの１つ以上のセクタにおいて、前記マルチキャストセッションをサポートするために十分なリソースが利用可能であるか否かを決定するためのプログラムコードをさらに含み、
前記抑制メッセージを送るためのプログラムコードは、前記マルチキャストセッションをサポートするのに十分なリソースを持たないと決定されたセクタにおいて前記抑制メッセージを送る請求項７７記載のコンピュータ読み取り可能媒体。
【請求項８４】
前記抑制メッセージは、ブロードキャスト拒否メッセージ（ＢＲＭ）である請求項７７記載のコンピュータ読み取り可能媒体。
【請求項８５】
記憶されたプログラムコードを含むコンピュータ読み取り可能媒体において、
前記プログラムコードは、
アクセス端末内で動作するように構成され、
マルチキャストセッションをアナウンスするアナウンスメッセージを受け取るためのプログラムコードと、
前記アナウンスされたマルチキャストセッションに対するアナウンス肯定応答メッセージを送信しないように前記アクセス端末に要求する抑制メッセージを受け取るためのプログラムコードと、
前記受け取った抑制メッセージに応答して、前記アナウンス肯定応答メッセージの送信を抑制するためのプログラムコードとを含み、
前記アナウンスされたマルチキャストセッションは、前記アクセス端末が監視することを望むマルチキャストセッションであるコンピュータ読み取り可能媒体。
【請求項８６】
前記アクセス端末が前記アナウンス肯定応答メッセージを送ることを試行しようとする方法を示すアクセス制御メッセージ（ＡＣＭ）を受け取るためのプログラムコードをさらに含み、
前記アクセス端末は、前記アクセス端末が前記ＡＣＭにしたがって前記試行を行う前に前記抑制メッセージを受け取る請求項８５記載のコンピュータ読み取り可能媒体。
【請求項８７】
前記抑制メッセージは、ブロードキャストオーバーヘッドメッセージ（ＢＯＭ）と、１ｘＥＶ−ＤＯ標準規格によって規定されていないフォーマットを有するプロプラエタリメッセージとのうちの１つに相当する請求項８５記載のコンピュータ読み取り可能媒体。
【請求項８８】
前記ＢＯＭは、ＢＯＭに対して予約されたダウンリンク制御チャネルの少なくとも１つの予約されたスロットにおいて送られるか、または、前記ダウンリンク制御チャネルの前記少なくとも１つの予約されたスロットよりも、より早い少なくとも１つのスロットにおいて送られる請求項８７記載のコンピュータ読み取り可能媒体。
【請求項８９】
前記アナウンスメッセージを受け取った後に、前記ダウンリンク制御チャネルを監視し、抑制メッセージが受け取られているか否かを決定するためのプログラムコードをさらに含む請求項８８記載のコンピュータ読み取り可能媒体。
【請求項９０】
前記抑制メッセージは、ブロードキャスト拒否メッセージ（ＢＲＭ）である請求項８５記載のコンピュータ読み取り可能媒体。
【請求項９１】
記憶されたプログラムコードを含むコンピュータ読み取り可能媒体において、
前記プログラムコードは、
アクセス端末内で動作するように構成され、
マルチキャストセッションをアナウンスするアナウンスメッセージを受け取ためのプログラムコードと、
前記アクセス端末に対して前記アナウンスされたマルチキャストセッションに対する登録を要求するマルチキャスト登録メッセージと、前記アナウンスメッセージが受け取られたことを肯定応答するアナウンス肯定応答メッセージとを送るためのプログラムコードとを含み、
前記アナウンスされたマルチキャストセッションは、前記アクセス端末が監視することを望むマルチキャストセッションであり、
前記マルチキャスト登録メッセージおよびアナウンス肯定応答メッセージは、リバースリンクチャネル上の同じアクセスプローブ内でアクセスネットワークに送られるコンピュータ読み取り可能媒体。
【請求項９２】
前記アクセス端末が前記アナウンスメッセージに対する応答メッセージを送ることを試行しようとする方法を示すアクセス制御メッセージ（ＡＣＭ）を受け取るように構成されているロジックと、
前記ＡＣＭに基づいて、その上で、前記マルチキャスト登録メッセージと前記アナウンス肯定応答メッセージとを送る前記アクセスプローブを選択するように構成されているロジックとをさらに含む請求項９１記載のコンピュータ読み取り可能媒体。
【請求項９３】
前記マルチキャスト登録メッセージおよび前記アナウンス肯定応答メッセージが、前記リバースリンクチャネル上の同じアクセスプローブ上で共に送られるように、前記送るためのプログラムコードは、前記マルチキャスト登録メッセージと前記アナウンス肯定応答メッセージとのうちの少なくとも１つの送信を遅延させる請求項９１記載のコンピュータ読み取り可能媒体。
【発明の詳細な説明】
【米国特許法第１１９条の優先権主張】
【０００１】
本特許出願は、「ワイヤレス通信システム内での対話式マルチキャストメッセージに応答する方法」と題する２００７年９月２４日に出願された仮出願番号第６０／９７４，７９６号と、「ワイヤレス通信ネットワーク内でのマルチキャストグループのマルチキャストグループメンバーからの肯定応答送信を管理する方法」と題する２００７年９月２４日に出願された仮出願番号第６０／９７４，８３１号とに対して優先権を主張している。これらのそれぞれの出願は、本発明の譲受人に譲渡され、参照によりここに明確に組み込まれている。
【発明の背景】
【０００２】
１．発明の分野
本発明は、ワイヤレス電気通信システムにおける通信に関し、さらに詳細に述べると、ワイヤレス通信ネットワーク内でのマルチキャストグループのマルチキャストグループメンバーからの肯定応答送信を管理する方法に関する。
【０００３】
２．関連技術の説明
ワイヤレス通信システムは、さまざまな世代を通して展開されている。さまざまな世代は、第１世代アナログワイヤレス電話機サービス（１Ｇ）や、（暫定的２．５Ｇネットワークおよび２．７５ネットワークを含む）第２世代（２Ｇ）デジタルワイヤレス電話機サービスや、第３世代（３Ｇ）高速データ／インターネット可能ワイヤレスサービスを含む。現在、使用されているワイヤレス通信システムには、セルラおよびパーソナル通信サービス（ＰＣＳ）システムを含む多くの異なるタイプが存在する。知られているセルラシステムの例は、セルラアナログアドバンスド移動体電話機システム（ＡＭＰＳ）と、コード分割多元接続（ＣＤＭＡ）や、周波数分割多元接続（ＦＤＭＡ）や、時間分割多元接続（ＴＤＭＡ）や、ＴＤＭＡのグローバルシステムフォーモバイルアクセス（ＧＳＭ）バリエーションに基づいたデジタルセルラシステムと、ＴＤＭＡおよびＣＤＭＡ技術の双方を使用している最新のハイブリッドデジタル通信システムとを含む。
【０００４】
ＣＤＭＡ移動体通信を提供する方法は、ここでＩＳ−９５と呼ばれる「デュアルモード広帯域スペクトル拡散セルラシステム向け移動局−基地局互換性標準規格」と題するＴＩＡ／ＥＩＡ／ＩＳ−９５−Ａにおいて電気通信工業協会／電子工業協会により米国で標準化された。ＡＭＰＳシステムおよびＣＤＭＡシステムを組み合わせたものは、ＴＩＡ／ＥＩＡ標準規格ＩＳ−９８において記述されている。他の通信システムは、ＩＭＴ−２０００／ＵＭ、すなわち国際移動体電気通信システム２０００／ユニバーサル移動体電気通信システム標準規格において記述され、この標準規格は、広帯域ＣＤＭＡ（ＷＣＤＭＡ）、（例えば、ＣＤＭＡ２０００ １ｘＥＶ−ＤＯ標準規格のような）ＣＤＭＡ２０００、またはＴＤ−ＳＣＤＭＡと呼ばれるものを網羅している。
【０００５】
ワイヤレス通信システムでは、移動局、ハンドセット、またはアクセス端末（ＡＴ）が、基地局に隣接している、あるいは、基地局の周囲の特定の地理的領域内で通信リンクまたはサービスをサポートしている、（セルサイトまたはセルとも呼ばれる）固定位置基地局から信号を受け取る。基地局は、アクセスネットワーク（ＡＮ）／無線アクセスネットワーク（ＲＡＮ）にエントリポイントを提供し、アクセスネットワーク（ＡＮ）／無線アクセスネットワーク（ＲＡＮ）は、一般的に、サービス品質（Ｑｏｓ）要求に基づいてトラフィックを区別する方法をサポートするプロトコルに基づいた、標準規格インターネットエンジニアリングタスクフォース（ＩＥＴＦ）を使用しているパケットデータネットワークである。したがって、基地局は、一般的に、無線によるインターフェースを通してＡＴと対話したり、インターネットプロトコル（ＩＰ）ネットワークデータパケットを通してＡＮと対話したりする。
【０００６】
ワイヤレス電気通信システムでは、プッシュ・ツー・トーク（ＰＴＴ）能力が、サービスセクタおよび消費者によって一般化している。ＰＴＴは、ＣＤＭＡ、ＦＤＭＡ、ＴＤＭＡ、ＧＳＭ等のような、標準規格の商用ワイヤレスインフラストラクチャを通じて動作する「ディスパッチ」音声サービスをサポートできる。ディスパッチモデルにおいて、エンドポイント（ＡＴ）間の通信は、仮想グループ内で生じ、１人の「話者」の音声が、１人以上の「リスナ」に送信される。このタイプの通信の単一の例は、一般的に、ディスパッチ通話、すなわち簡単に言うと、ＰＴＴ通話と呼ばれる。ＰＴＴ通話は、通話の特徴を規定するグループのインスタンシエーションである。グループは、実質的に、グループ名またはグループ識別のような関係する情報や、メンバーリストによって規定される。
【０００７】
従来、ワイヤレス通信ネットワーク内でのデータパケットは、単一の宛先またはアクセス端末に送られるように構成されている。単一の宛先へのデータの送信を「ユニキャスト」と呼ぶ。移動体通信が増加するなか、所定のデータを同時に複数のアクセス端末に送信する能力が、より重要になっている。したがって、複数の宛先またはターゲットアクセス端末への、同じパケットまたはメッセージの同時データ送信をサポートするプロトコルが採用されている。「ブロードキャスト」が、（例えば、所定のサービスプロバイダ等によって受け持たれている所定のセル内の）すべての宛先またはアクセス端末への、データパケットの送信のことを意味する一方で、「マルチキャスト」は、宛先の所定のグループまたはアクセス端末の所定のグループへの、データパケットの送信のことを意味する。例では、宛先の所定のグループ、すなわち「マルチキャストグループ」は、１つよりも多く、（例えば、所定のサービスプロバイダ等によって受け持たれている所定のグループ内で）可能性ある宛先またはアクセス端末のすべてより少ない、可能性ある宛先またはアクセス端末を含んでいてもよい。しかしながら、いくつかの状況では、少なくとも、マルチキャストグループが１つのみのアクセス端末を含み、ユニキャストに類似している、または代替的に、マルチキャストグループが（例えば、セルまたはセクタ内で）すべてのアクセス端末を含み、ブロードキャストに類似している可能性がある。
【０００８】
ブロードキャストおよび／またはマルチキャストは、ワイヤレス通信システム内で多数の方法で実行されてもよい。例えば、方法には、マルチキャストグループに適応させるために複数のシーケンシャル的なユニキャスト動作を実行することや、同時の複数のデータ送信を取り扱うために一意的なブロードキャスト／マルチキャストチャネル（ＢＣＨ）を割り振ることや、これに類するものがある。プッシュ・ツー・トーク通信のためにブロードキャストチャネルを使用する従来のシステムは、「ＣＤＭＡ １ｘ−ＥＶＤＯセルラネットワークを使用するプッシュ・ツー・トークグループ通話システム」と題する、２００７年３月１日付けの米国特許出願公開番号第２００７／００４９３１４号において記述されており、この内容は、その全体が参照によりここに組み込まれている。公開番号第２００７／００４９３１４において記述されているように、ブロードキャストチャネルは、従来のシグナリング技術を使用しているプッシュ・ツー・トーク通話に対して使用できる。ブロードキャストチャネルの使用により、従来のユニキャスト技術と比較して帯域幅要求は向上したものの、ブロードキャストチャネルの従来のシグナリングは、依然として、結果的にさらなるオーバーヘッドおよび／または遅延を引き起こすことになり、システム性能を低下させる可能性がある。
【０００９】
第３世代パートナーシッププロジェクト２（「３ＧＰＰ２」）は、ＣＤＭＡ２０００ネットワークにおいてマルチキャスト通信をサポートするためのブロードキャストマルチキャストサービス（ＢＣＭＣＳ）仕様を規定している。したがって、２００６年２月１４日付けの「ＣＤＭＡ２０００の高レートブロードキャストマルチキャストのパケットデータエアインターフェース仕様」と題する、３ＧＰＰ２のＢＣＭＣＳ仕様のバージョン、すなわちバージョン１．０Ｃ．Ｓ００５４−Ａは、その全体が参照により組み込まれている。
【概要】
【００１０】
本発明の実施形態は、ワイヤレス通信ネットワーク内でのマルチキャストグループのマルチキャストグループメンバーからの肯定応答送信を管理することに関する。例えば、アクセスネットワークは、マルチキャストセッションをアナウンスするアナウンスメッセージを複数のアクセス端末に送信する。複数のアクセス端末のうちの１つ（すなわち、最初の応答機）が、ＢＣＭＣＳフロー登録メッセージおよびアナウンス肯定応答（ＡＣＫ）メッセージをアクセスネットワークに送る。例では、ＢＣＭＣＳフロー登録メッセージおよびアナウンスＡＣＫメッセージが、リバースリンクアクセスチャネル上の同じアクセスプローブ内で送られる。次に、アクセスネットワークは、受け取ったＢＣＭＣＳフロー登録メッセージに応答して、アナウンスされたマルチキャストセッションに対するアナウンス肯定応答メッセージを送らないようにアクセス端末に要求するための抑制メッセージを送る。代替的に、受け取ったアナウンスＡＣＫメッセージに応答して、アプリケーションサーバが抑制メッセージを送る。いずれのシナリオでも、抑制メッセージを受け取るアクセス端末が、後続するアナウンスＡＣＫメッセージの送信を抑制する。
【図面の簡単な説明】
【００１１】
本発明の実施形態とそれに伴う多くの利点のより完全な正しい認識は、図面とともに考察するとき、以下の詳細な説明を参照することによって同じものがより良く理解されると、容易に得られるだろう。図面は、単に、例示のために示されており、本発明を限定するものではない。
【図１】図１は、本発明の少なくとも１つの実施形態にしたがった、アクセス端末およびアクセスネットワークをサポートするワイヤレスネットワークアーキテクチャの図である。
【図２】図２は、本発明の実施形態にしたがった、キャリアネットワーク１２６を図示している。
【図３】図３は、本発明の少なくとも１つの実施形態にしたがった、アクセス端末の図である。
【図４】図４は、従来のマルチキャストメッセージングプロセスを図示している。
【図５】図５は、本発明の実施形態にしたがった、ワイヤレス通信システムのセクタを図示している。
【図６】図６は、本発明の実施形態にしたがった、マルチキャストメッセージングプロセスを図示している。
【図７】図７は、図６のプロセスまたは図８のプロセスの続きを図示している。
【図８】図８は、本発明の別の実施形態にしたがった、マルチキャストメッセージングプロセスを図示している。
【詳細な説明】
【００１２】
本発明の観点は、本発明の特定の実施形態に向けられている詳細な説明および関連する図面において開示されている。代替的な実施形態は、本発明の範囲を逸脱することなく考案されている。さらに、本発明のよく知られているエレメントは、本発明の関連する詳細な説明を不必要に曖昧にしないように、詳細に記述されないだろう、すなわち、省略されるだろう。
【００１３】
「例として、事例として、あるいは実例として機能すること」を意味するために、「例示的な」および／または「例」という用語をここで使用する。「例示的な」ものとして、および／または、「例」として、ここで記述するいずれの実施形態も、他の実施形態と比較して、必ずしも、好ましいまたは効果的なものと解釈されるものではない。同様に、「本発明の実施形態」という用語は、本発明のすべての実施形態が動作の説明した特徴、効果、またはモードを含むことを要求しない。
【００１４】
さらに、例えば、コンピューティングデバイスのエレメントによって実行されるアクションのシーケンスの観点から、多くの実施形態が記述されている。ここで記述したさまざまなアクションは、特定回路（例えば、特定用途向け集積回路（ＡＳＩＣ））によって、１つ以上のプロセッサによって実行されているプログラム命令によって、または両方を組み合わせたものによって実行されてもよいことが認識されるだろう。さらに、ここで記述したアクションのこれらのシーケンスは、対応する組のコンピュータ命令を記憶させているコンピュータ読み取り可能記憶媒体の何らかの形態内で完全に具体化されると考えることができ、対応する組のコンピュータ命令は、実行時に、関係するプロセッサにここで記述した機能を実行させる。したがって、本発明のさまざまな観点は、多数の異なる形態で具体化されてもよく、これらのすべては、特許請求の範囲内にあることが意図されている。さらに、ここで記述した実施形態のそれぞれに対して、何らかのこのような実施形態の対応する形態は、例えば、ここでは、記述したアクションを実行する「ように構成されているロジック」と記述する。
【００１５】
ここでアクセス端末（ＡＴ）と呼ばれる高データレート（ＨＤＲ）加入者局は、移動体または静的であってもよく、１つ以上のＨＤＲ基地局と通信してもよい。１つ以上のＨＤＲ基地局は、ここでモデムプールトランシーバ（ＭＰＴ）または基地局（ＢＳ）と呼ばれる。アクセス端末は、１つ以上のモデムプールトランシーバを通して、ＨＤＲ基地局制御装置にデータパケットを送信し、データパケットを受け取る。ＨＤＲ基地局制御装置は、モデムプール制御装置（ＭＰＣ）、基地局制御装置（ＢＳＣ）および／またはパケット制御機能（ＰＣＦ）と呼ばれる。モデムプールトランシーバおよびモデムプール制御装置は、アクセスネットワークと呼ばれるネットワークの一部である。アクセスネットワークは、複数のアクセス端末間でデータパケットを伝送する。
【００１６】
アクセスネットワークは、会社イントラネットまたはインターネットのような、アクセスネットワーク外部の付加的なネットワークにさらに接続されていてもよく、それぞれのアクセス端末とこのような外部ネットワークとの間でデータパケットを伝送してもよい。１つ以上のモデムプールトランシーバとのアクティブトラフィックチャネル接続を確立しているアクセス端末を、アクティブアクセス端末と呼び、このアクセス端末をトラフィック状態にあると言う。１つ以上のモデムプールトランシーバとのアクティブトラフィックチャネル接続を確立するプロセス中にあるアクセス端末を、接続セットアップ状態にあると言う。アクセス端末は、例えば、光ファイバケーブルまたは同軸ケーブルを使用しているワイヤレスチャネルを通して、または、ワイヤードチャネルを通して通信する何らかのデータデバイスであってもよい。アクセス端末は、さらに、ＰＣカード、コンパクトフラッシュ（登録商標）、外部または内部モデム、あるいはワイヤレスまたはワイヤライン電話機を含む多数のタイプのデバイスのうちの任意のものであってもよいが、これらに限定されるものではない。アクセス端末がモデムプールトランシーバに信号を送る通信リンクを、リーバスリンクまたはトラフィックチャネルと呼ぶ。モデムプールトランシーバがアクセス端末に信号を送る通信リンクを、フォワードリンクまたはトラフィックチャネルと呼ぶ。ここで使用するように、トラフィックチャネルという用語は、フォワードトラフィックチャネルまたはリバーストラフィックチャネルのいずれかを意味していてもよい。
【００１７】
図１は、本発明の少なくとも１つの実施形態にしたがった、ワイヤレス通信システム１００の１つの例示的な実施形態のブロック図を図示している。システム１００は、エアインターフェース１０４を通してアクセスネットワークまたは無線アクセスネットワーク（ＲＡＮ）１２０と通信している、セルラ電話機１０２のようなアクセス端末を含んでいてもよく、アクセスネットワークまたは無線アクセスネットワーク（ＲＡＮ）１２０は、アクセス端末１０２を、パケット交換データネットワーク（例えば、イントラネット、インターネット、および／またはキャリアネットワーク１２６）とアクセス端末１０２、１０８、１１０、１１２との間のデータ接続性を提供するネットワーク機器に接続できる。ここで示したように、アクセス端末は、セルラ電話機１０２や、パーソナルデジタルアシスタント１０８や、ページャ１１０や、またはワイヤレス通信ポータルを有する独立したコンピュータプラットフォーム１１２でさえあってもよく、ここで、ページャ１１０は２方向テキストページャとして示されている。このように、本発明の実施形態は、ワイヤレス通信ポータルを含む、または、ワイヤレス通信能力を有するアクセス端末の何らかの形態として実現されてもよい。ワイヤレス通信ポータルまたワイヤレス通信能力は、ワイヤレスモデムや、ＰＣＭＣＩＡカードや、パーソナルコンピュータや、電話機や、あるいはこれらの任意のものを組み合わせたものまたは一部組み合わせたものを含むが、これらに限定されるものではない。さらに、ここで使用されるように、「アクセス端末」や、「ワイヤレスデバイス」や、「クライアントデバイス」や、「移動体デバイス」という用語およびこれらのバリエーションは、同義的に使用されてもよい。
【００１８】
図１に戻って参照すると、ワイヤレスネットワーク１００のコンポーネントおよび本発明の例示的な実施形態のエレメントの相互関係は、図示した構成に限定されるものではない。システム１００は単なる例示であり、任意のシステムを含んでいてもよく、これにより、ワイヤレスクライアントコンピューティングデバイス１０２、１０８、１１０、１１２のような遠隔アクセス端末が、相互間で、および／または、エアインターフェース１０４とＲＡＮ１２０とによって接続されているコンポーネント間で、無線を通して通信することができる。エアインターフェース１０４およびＲＡＮ１２０は、限定されることなく、キャリアネットワーク１２６、インターネット、および／または他の遠隔サーバを含む。
【００１９】
ＲＡＮ１２０は、基地局制御装置／パケット制御機能（ＢＳＣ／ＰＣＦ）１２２に送られる（一般的に、データパケットとして送られる）メッセージを制御する。ＢＳＣ／ＰＣＦ１２２は、パケットデータサービスノード１００（「ＰＤＳＮ」）とアクセス端末１０２／１０８／１１０／１１２との間のベアラチャネル（すなわち、データチャネル）をシグナリングする役割や、確立する役割や、ティアダウンする役割を担っている。リンク層暗号化がイネーブルされた場合、ＢＳＣ／ＰＣＦ１２２は、エアインターフェース１０４を通してコンテンツを転送する前に、コンテンツの暗号化もする。ＢＳＣ／ＰＣＦ１２２の機能は、技術的によく知られており、簡潔にするためにさらに説明しない。キャリアネットワーク１２６は、ネットワーク、すなわちインターネットおよび／または公衆電話交換ネットワーク（ＰＳＴＮ）によって、ＢＳＣ／ＰＣＦ１２２と通信してもよい。代替的に、ＢＳＣ／ＰＣＦ１２２は、インターネットまたは外的ネットワークに直接的に接続していてもよい。一般的に、キャリアネットワーク１２６とＢＳＣ／ＰＣＦ１２２との間のネットワークまたはインターネット接続がデータを転送し、ＰＳＴＮが音声情報を転送する。ＢＳＣ／ＰＣＦ１２２は、複数の基地局（ＢＳ）またはモデムプールトランシーバ（ＭＰＴ）１２４に接続されていてもよい。キャリアネットワークに類似した方法では、ＢＳＣ／ＰＣＦ１２２は、一般的に、データ転送および／または音声情報転送のために、ネットワーク、すなわちインターネットおよび／またはＰＳＴＮによってＭＰＴ／ＢＳ１２４に接続されてもよい。ＭＰＴ／ＢＳ１２４は、セルラ電話機１０２のようなアクセス端末に向けてデータメッセージをワイヤレスにブロードキャストできる。技術的に知られているように、ＭＰＴ／ＢＳ１２４、ＢＳＣ／ＰＣＦ１２２および他のコンポーネントがＲＡＮ１２０を形成していてもよい。しかしながら、代替的な構成が使用されてもよく、本発明は、図示した構成に限定されない。例えば、別の実施形態では、ＢＳＣ／ＰＣＦ１２２および１つ以上のＭＰＴ／ＢＳ１２４の機能が、ＢＳＣ／ＰＣＦ１２２およびＭＰＴ／ＢＳ１２４の双方の機能を有する単一の「ハイブリッド」モジュールに納められていてもよい。
【００２０】
図２は、本発明の実施形態にしたがった、キャリアネットワーク１２６を図示している。図２の実施形態では、キャリアネットワーク１２６は、パケットデータサービングノード（ＰＤＳＮ）１６０と、ブロードキャストサービングノード１６５と、アプリケーションサーバ１７０と、インターネット１７５とを備えている。しかしながら、代替的実施形態では、アプリケーションサーバ１７０および他のコンポーネントは、キャリアネットワークの外部に位置付けられていてもよい。ＰＤＳＮ１６０は、インターネット１７５、イントラネットおよび／または遠隔サーバ（例えば、アプリケーションサーバ１７０）に対するアクセスを、例えば、ｃｄｍａ２０００無線アクセスネットワーク（ＲＡＮ）（例えば、図１のＲＡＮ１２０）を利用している移動局（例えば、図１からの１０２、１０８、１１０、１１２のようなアクセス端末）に提供する。アクセスゲートウェイとして機能して、ＰＤＳＮ１６０が、単純なＩＰおよび移動体ＩＰアクセス、外国エージェントサポートおよびパケット伝送を実行してもよい。ＰＤＳＮ１６０は、認証、認可、および課金（ＡＡＡ）サーバに対するクライアントおよび他のサポーティングインフラストラクチャとして機能でき、技術的に知られているように、ゲートウェイを備えた移動局にＩＰネットワークを提供する。図２に示したように、ＰＤＳＮ１６０は、従来のＡ１０接続を通して、ＲＡＮ１２０（例えば、ＢＳＣ／ＰＣＦ１２２）と通信してもよい。Ａ１０接続は、技術的によく知られているので、簡潔にするためにさらに記述しない。
【００２１】
図２を参照すると、ブロードキャストサービングノード（ＢＳＮ）１６５は、マルチキャストおよびブロードキャストサービスをサポートするように構成されていてもよい。ＢＳＮ１６５について、より詳細に以下で記述する。ＢＳＮ１６５は、ブロードキャスト（ＢＣ）Ａ１０接続を通してＲＡＮ１２０（例えば、ＢＳＣ／ＰＣＦ１２２）と通信し、また、インターネット１７５を通してアプリケーションサーバ１７０と通信する。マルチキャストおよび／またはブロードキャストメッセージングを転送するために、ＢＣＡ１０接続が使用される。したがって、アプリケーションサーバ１７０は、インターネット１７５を通してユニキャストメッセージングをＰＤＳＮ１６０に送り、インターネット１７５を通してマルチキャストメッセージングをＢＳＮ１６５に送る。
【００２２】
一般的に、さらに詳細に以下で記述するように、ＲＡＮ１２０は、ＢＳＮ１６５からＢＣＡ１０接続を通して受け取られたマルチキャストメッセージを、エアインターフェース１０４のブロードキャストチャネル（ＢＣＨ）を通して１つ以上のアクセス端末２００に送信する。
【００２３】
図３を参照すると、セルラ電話機のようなアクセス端末２００（ここでワイヤレスデバイス）は、プラットフォーム２０２を備えており、プラットフォーム２０２は、ＲＡＮ１２０から送信されるデータおよび／またはコマンド、ソフトウェアアプリケーションを受け取り、実行できる。このデータおよび／またはコマンドは、最終的に、キャリアネットワーク１２６、インターネット、ならびに／あるいは、他の遠隔サーバおよび遠隔ネットワークから得られてもよい。プラットフォーム２０２は、特定用途向け集積回路（「ＡＳＩＣ」２０８）、または他のプロセッサ、マイクロプロセッサ、論理回路、または他のデータ処理デバイスに動作可能に結合されているトランシーバ２０６を備えていてもよい。ＡＳＩＣ２０８または他のプロセッサは、ワイヤレスデバイスのメモリ２１２中の任意の常駐プログラムとインターフェースするアプリケーションプログラミングインターフェース（「ＡＰＩ」）２１０層を実行する。メモリ２１２は、リードオンリーメモリまたはランダムアクセスメモリ（ＲＡＭおよびＲＯＭ）、ＥＥＰＲＯＭ、フラッシュカード（登録商標）、またはコンピュータプラットフォームに共通の何らかのメモリを含んでいてもよい。プラットフォーム２０２は、メモリ２１２中でアクティブに使用されないアプリケーションを保持できる、ローカルデータベース２１４も備えていてもよい。ローカルデータベース２１４は、一般的に、フラッシュメモリセルであるが、磁気媒体、ＥＥＰＲＯＭ、光媒体、テープ、ソフトまたはハードディスク、またはこれに類するもののような、技術的に知られている任意の二次記憶デバイスであってもよい。内部プラットフォーム２０２コンポーネントは、技術的に知られているように、他のコンポーネントの中でも、とりわけアンテナ２２２や、ディスプレイ２２４や、プッシュ・ツー・トークボタン２２８や、キーパッド２２６のような外的デバイスに動作可能に結合されていてもよい。
【００２４】
したがって、本発明の実施形態は、ここで記述した機能を実行する能力を備えたアクセス端末を含んでいてもよい。当業者によって正しく認識されるように、さまざまなロジックエレメントは、ここで開示した機能を実現するために、ディスクリートエレメントにおいて、プロセッサ上で実行されるソフトウェアモジュールにおいて、またはソフトウェアおよびハードウェアの任意の組み合わせ上において具体化されてもよい。例えば、ここで開示したさまざまな機能を協同してロード、記憶、および実行するために、ＡＳＩＣ２０８、メモリ２１２、ＡＰＩ２１０およびローカルデータベース２１４のすべてが使用されてもよく、したがって、これらの機能を実行するロジックは、さまざまなエレメントに渡って分配されてもよい。代替的に、機能は、１つのディスクリートコンポーネントに組み込まれてもよい。したがって、図３におけるアクセス端末の特徴は、単なる例示であると考えられ、本発明は、図示した特徴または構成に限定されない。
【００２５】
アクセス端末１０２とＲＡＮ１０２との間のワイヤレス通信は、コード分割多元接続（ＣＤＭＡ）、ＷＣＤＭＡ、時間分割多元接続（ＴＤＭＡ）、周波数分割多元接続（ＦＤＭＡ）、直交周波数分割多重（ＯＦＤＭ）、グローバルシステムフォー移動体通信（ＧＳＭ）、あるいはワイヤレス通信ネットワークまたはデータ通信ネットワークにおいて使用される他のプロトコルのような、異なる技術に基づいていてもよい。データ通信は、一般的に、クライアントデバイス１０２と、ＭＰＴ／ＢＳ１２４と、ＢＳＣ／ＰＣＦ１２２との間で行われる。ＢＳＣ／ＰＣＦ１２２は、キャリアネットワーク１２６や、ＰＳＴＮや、インターネットや、仮想プライベートネットワークや、これらに類するもののような複数のデータネットワークに接続されていてもよく、これにより、アクセス端末１０２は、より広範囲の通信ネットワークにアクセスすることができる。先に説明し、かつ、技術的に知られているように、音声送信および／またはデータは、さまざまなネットワークおよび構成を使用して、ＲＡＮからアクセス端末に送信されてもよい。したがって、ここで提供した例示は、本発明の実施形態を限定することを意図したものではなく、単に、本発明の実施形態の観点の説明を目的としたものである。
【００２６】
図４は、従来のマルチキャストメッセージングプロセスを図示している。特に、図４は、プッシュ・ツー・トーク（ＰＴＴ）すなわちマルチキャストセッションをサポートするブロードキャストおよびマルチキャストサービス（ＢＣＭＣＳ）メッセージングプロセスを図示している。
【００２７】
４００において、ＲＡＮ１２０と通信している複数のアクセス端末のうちの１つ（「ＰＴＴイニシエータ」）が、ＰＴＴセッションすなわちマルチキャストセッションを開始するように要求する。したがって、ＰＴＴイニシエータが、ＰＴＴ通話要求をアプリケーションサーバ１７０（例えば、ＰＴＴサーバ）に送る。次に、４０５において、アプリケーションサーバ１７０が、ＰＴＴセッションのそれぞれのマルチキャストグループメンバーにＰＴＴセッションをアナウンスする。例えば、アプリケーションサーバ１７０が、ＰＤＳＮ１６０および／またはＢＳＮ１６５を通してアナウンスメッセージをＲＡＮ１２０に転送し、ＲＡＮ１２０が、エアインターフェース１０４を通してアナウンスメッセージを複数のＡＴに送信する。ワイヤレス通信システム１００内の複数のセクタにおいて、アナウンスメッセージが送信される。
【００２８】
図５は、本発明の実施形態にしたがった、ワイヤレス通信システム１００のセクタ５００を図示している。セクタ５００は、基地局またはＭＰＴ／ＢＳ５０５を含んでいる。基地局５０５によってＡＴを受け持つことができる領域に対応しているセクタ５００は、さらに、ＡＴ ＡないしＥを含んでいる。４００に関して先に説明したＰＴＴイニシエータは、ＡＴ ＡないしＥのうちの１つであってもよく、または、代替的に、（示していない）別のセクタ内のＡＴに対応していてもよい。説明の便宜性のために、以下では、図５のセクタ５００内にＰＴＴイニシエータが存在しないことを仮定する。
【００２９】
図４に戻ると、ＡＴ ＡないしＥのそれぞれが、４０５において送られたアナウンスメッセージを受け取る。４１０において、ＡＴ Ａが、リバースリンクアクセスチャネル上でアナウンス肯定応答（ＡＣＫ）をＲＡＮ１２０の基地局５０５に送ることによって、アナウンスメッセージに応答する。また、４１５において、ＡＴ Ａが、アナウンスメッセージに関係するＢＣＭＣＳフローを登録するために、ＢＣＭＣＳフロー登録メッセージをＲＡＮ１２０に送る。図４内で明示的に示していないが、ＲＡＮ１２０は、アナウンスＡＣＫメッセージをアプリケーションサーバまたはＰＴＴサーバ１７０に転送し、ＲＡＮ１２０は、ＢＣＭＣＳフロー登録メッセージを受け取った後に、ＡＴ Ａを、アナウンスされたＰＴＴセッションのマルチキャストグループに加える。
【００３０】
１ｘＥＶ−ＤＯ標準規格は、マルチキャストグループに対するＡＴ登録のために、ＢＣＭＣＳフロー登録メッセージを提供する。従来のＢＣＭＣＳフロー登録メッセージは、所定のＡＴが監視するように要求している１つ以上のＢＣＭＣＳフローのリストを含む。例えば、４０５におけるアナウンスメッセージが、ＢＣＭＣＳフローＦＬＯＷ＿１に関係するＰＴＴ通話をアナウンスした場合、アナウンスメッセージに応答して送られるＢＣＭＣＳフロー登録メッセージは、ＦＬＯＷ＿１を含む。ＢＣＭＣＳフロー登録メッセージは、マルチキャストすなわちＰＴＴセッション中の別々の時間に、ＲＡＮ１２０に送られてもよく、また、アナウンスメッセージに単に応答するものではない。
【００３１】
４０５からのアナウンスメッセージに応答する最初のＡＴは、「最初の応答機」と呼ぶことができる。したがって、図４では、ＡＴ Ａが最初の応答機（すなわち、何らかのセクタにおいて応答する最初のＡＴ）であると仮定される。次に、ＡＴ ＢないしＥのそれぞれは、アナウンスＡＣＫメッセージを送ることによってアナウンスメッセージに応答する４２０。４２５において、ＡＴ ＢないしＥのそれぞれはまた、アナウンスされたＢＣＭＣＳフローに対して登録するためにＢＣＭＣＳフロー登録メッセージを送る。４２０のアナウンスＡＣＫメッセージ送信および４２５のＢＣＭＣＳフロー登録メッセージ送信は単一のステップとして示されているが、アナウンスＡＣＫメッセージおよびＢＣＭＣＳフロー登録メッセージは、それぞれ、別々の時間にＡＴ ＢないしＥの異なるものから送られてもよく、説明の便宜性のために、図４では、４２０および４２５を単一のブロックに簡略化していることが正しく認識されるだろう。
【００３２】
最初の応答機ＡＴ ＡがアナウンスＡＣＫメッセージを送った後のある時点で、４３０では、アナウンスされたＰＴＴセッションに対して登録された１つ以上のＡＴ（例えば、セクタ５００中のＡＴ ＡないしＥ）を含んでいるセクタを受け持っている基地局に転送されるマルチキャストメッセージをＲＡＮ１２０に提供することによって、アプリケーションサーバ１７０はＰＴＴセッションまたは通話を開始する。したがって、４３５および４４０では、それぞれ、ＡＴ ＡないしＥが、アナウンスされたＰＴＴセッションに関係する、４３０において送られたマルチキャストメッセージを監視する。
【００３３】
図４および図５に関して先に説明したように、４０５からのアナウンスメッセージを受け取るそれぞれのＡＴから、アナウンスＡＣＫメッセージおよびＢＣＭＣＳフロー登録メッセージが送られる。しかしながら、アプリケーションサーバ１７０は、ＰＴＴセッションを開始することを決定するために、単一のアナウンスＡＣＫメッセージを受け取ることだけが必要である。言い換えると、１度、アプリケーションサーバ１７０がアナウンスＡＣＫメッセージを最初の応答機から受け取ると、ＰＴＴセッションまたは通話が開始する（例えば、ＰＴＴイニシエータが、少なくとも１つの受信側に対して、話かけることまたはマルチキャスティングを開始できる）。したがって、後続するアナウンスＡＣＫメッセージは冗長である可能性があり、リバースリンクアクセスチャネル上の干渉を増加させることがある。
【００３４】
先に説明したように、アプリケーションサーバまたはＰＴＴサーバ１７０において受け取られる冗長なアナウンスＡＣＫメッセージは、リバースリンクアクセスチャネル上の干渉を増加させることがある。したがって、本発明の実施形態は、これからより詳細に説明するが、ＰＴＴセッションをアナウンスするアナウンスメッセージに応答して送られるアナウンスＡＣＫメッセージの数を減少または「抑制」することに向けられている。
【００３５】
図６は、本発明の実施形態にしたがった、マルチキャストメッセージングプロセスを図示している。６００では、ＲＡＮ１２０と通信している複数のアクセス端末のうちの１つ（「ＰＴＴイニシエータ」）が、ＰＴＴセッション、すなわちマルチキャストセッションを開始するように要求する。したがって、ＰＴＴイニシエータが、ＰＴＴ通話要求をアプリケーションサーバ１７０（例えば、ＰＴＴサーバ）に送る。次に、６０５では、アプリケーションサーバ１７０が、ＰＴＴセッションのそれぞれのマルチキャストグループメンバーにＰＴＴセッションをアナウンスする。例えば、アプリケーションサーバ１７０が、ＰＤＳＮ１６０および／またはＢＳＮ１６５を通してアナウンスメッセージをＲＡＮ１２０に転送し、ＲＡＮ１２０は、エアインターフェース１０４を通して（例えば、ダウンリンクブロードキャストチャネル（ＢＣＨ）を通して、ダウンリンク制御チャネルを通して、等）アナウンスメッセージを複数のＡＴに送信する。アナウンスメッセージは、ワイヤレス通信システム１００内の、セクタ５００を含む複数のセクタにおいて送信される。
【００３６】
例では、６０５において送られるアナウンスメッセージは、アクセス制御メッセージ（ＡＣＭ）と束ねられてもよく、ＡＣＭは、フィードバックプロトコルをＡＴに提供する。言い換えると、ＡＣＭは、ＡＴがアナウンスメッセージに応答できる方法を決定する。ＡＣＭおよびフィードバックスケジューリングプロトコルのさらなる説明のために、「ワイヤレス通信システム内での対話式マルチキャストメッセージに応答する方法」と題する、２００７年９月２４日に出願された米国仮特許出願番号第６０／９７４，７９６号を参照されたい。この特許出願は、本発明の譲受人に譲渡され、その全体が参照によりここに明確に組み込まれている。
【００３７】
以下に、ＲＡＮ１２０内のセクタ５００において実行されるような図６のプロセスを記述する。しかしながら、図６のプロセスが、ＲＡＮ１２０内の（示されていない）他のセクタにおいて同時に実行されてもよいことが正しく認識されるだろう。
【００３８】
６１０において、ＡＴ Ａが、リバースリンクアクセスチャネル上でアナウンスＡＣＫメッセージをＲＡＮ１２０の基地局５０５に送ることによって、アナウンスメッセージに応答する。６１０では、アナウンスＡＣＫメッセージは、アナウンスメッセージに関係するＢＣＭＣＳフローに対して登録するために、単一のアクセスプローブ内でＢＣＭＣＳフロー登録メッセージと「束ねられる」。対照的に、図４に示したように、アナウンスメッセージに応答して送られたアナウンスＡＣＫメッセージおよびＢＣＭＣＳフロー登録メッセージは、必ずしも共に束ねられるのではなく、むしろ、一般的に、異なるアクセスプローブ上で独立的に送られる。したがって、アナウンスＡＣＫメッセージおよびＢＣＭＣＳフロー登録メッセージの送信を単一のアクセスプローブ内で同期させることによって、リバースリンクアクセスチャネル上のトラフィック負荷が減少することが正しく認識されるだろう。さらに、図４内で明示的に示していないが、ＲＡＮ１２０は、アナウンスＡＣＫメッセージをアプリケーションサーバまたはＰＴＴサーバ１７０に転送する。例では、アナウンスＡＣＫメッセージは、ＡＴ Ａ（例えば、および他のＡＴ）に向けて以前に送られたＡＣＭにしたがって送られてもよい。この例では、アナウンスメッセージに応答するのに、ＡＣＭが、ＡＴ Ａを最初のスロットに指定していることから、ＡＴ Ａは、応答する最初のものであるのに対して、他のＡＴは、他のＡＴ自体の応答試行を開始する前に、ＡＴ Ａがアナウンスメッセージに応答することを試行するまで少なくとも待つ。代替的に、ＡＣＭを通してＡＴの応答順序が示されるか否かに関係なく、ＡＴ Ａは、単に、応答に成功した最初のＡＴであってもよい。
【００３９】
６１５では、要求されたＰＴＴセッションを取り扱うのに十分なリソースを基地局５０５が持っているか否かを、ＲＡＮ１２０が決定する。例えば、ＲＡＮ１２０の基地局５０５が、すでに、多数のＰＴＴセッションに参加している場合、ダウンリンクブロードキャストチャネル（ＢＣＨ）上のダウンリンク帯域幅の量は、比較的制限され、アナウンスされたＰＴＴセッションを取り扱うのに十分なリソースを基地局５０５が持たないことをＲＡＮ１２０が決定してもよい。十分なリソースが利用可能でないことをＲＡＮ１２０が決定した場合、プロセスは図７の７００に進むが、このことについて以下でさらに詳細に記述する。そうでない場合、プロセスは、図６の６２０に進む。
【００４０】
６２０において、ＲＡＮ１２０／基地局５０５が、（例えば、ダウンリンク制御チャネル、ダウンリンクＢＣＨ等を通して）アナウンスＡＣＫ抑制メッセージを送信する。アナウンスＡＣＫ抑制メッセージは、セクタ５００内でアナウンスメッセージにまだ応答していないＡＴがアナウンスＡＣＫメッセージを送ることをとどまらせるために送られる。アナウンスＡＣＫ抑制メッセージは、セクタ５００内の少なくとも基地局５０５において、ＲＡＮ１２０によって送られる。しかしながら、アナウンスＡＣＫ抑制メッセージは、６０５においてアナウンスメッセージがアナウンスされたそれぞれのセクタ内のＲＡＮ１２０によって送られてもよい。
【００４１】
例では、アナウンスＡＣＫ抑制メッセージは、所定のセクタ内でアナウンスされたＰＴＴセッションに対して受け取られた最初のＢＣＭＣＳフロー登録メッセージに応答して送られる、ブロードキャストオーバーヘッドメッセージ（ＢＯＭ）である。ＢＯＭは、技術的によく知られており、所定のセクタ内で伝えれられるＢＣＭＣＳフローに対する１つ以上のＢＣＭＣＳフローＩＤのリストを含む。ＢＯＭは、ダウンリンクブロードキャストチャネル（ＢＣＨ）上でアドバタイズされたＢＣＭＳフローにどのように「同調」するかに関して、ＡＴに指示する情報も含む。したがって、この例では、６２０において送られるＢＯＭは、アナウンスされたＰＴＴセッションに対するＢＣＭＣＳフローＩＤを含んでいる。
【００４２】
従来、ＢＯＭは、ダウンリンク制御サイクルの予約されたスロット内のダウンリンク制御チャネル上で送られる。しかしながら、この例では、ＢＯＭは、ダウンリンク制御チャネルサイクルの最初の利用可能なスロット、または、もっとも早いスロットにおいて送られ、スケジュール化／予約されたＢＯＭスロットを待つ必要はない。この例では、アナウンスＡＣＫ抑制メッセージのとして機能する、ＢＯＭを可能な限り早く送ることによって、アナウンスＡＣＫメッセージ（およびＢＣＭＣＳフロー登録メッセージ）の送信の前に、ＡＴに到達する可能性が増す。
【００４３】
しかしながら、別の実施形態では、６２０では、ＢＯＭは、通常、ダウンリンクＢＣＨ上の予約されたスロットにおいて送られてもよい。この代替的な実施形態では、アナウンスされたＰＴＴセッションに対する何らかのＢＯＭを、アナウンスされたＰＴＴセッションに対するアナウンスＡＣＫメッセージを送らない要求として解釈するようにＡＴが構成されていてることから、ＢＯＭは、依然として、アナウンスＡＣＫ抑制メッセージとして機能する。
【００４４】
別の代替的な実施形態では、６２０において送られたアナウンスＡＣＫ抑制メッセージが、ＢＯＭ（例えば、「即時的な」ＢＯＭ、または、予約されたダウンリンクチャネルスロット上で送られるＢＯＭのいずれか）である必要はないが、制御チャネル上で送られるプロプラエタリダウンンクメッセージとして構成されていてもよい。例えば、プロプラエタリダウンリンクメッセージは、１ｘＥＶ−ＤＯプロトコル内で特定されないメッセージに相当していてもよい。この例では、プロプラエタリメッセージを、アナウンスＡＣＫメッセージを送らない要求として解釈するために、ＡＴは、プロプラエタリメッセージを、アナウンスＡＣＫメッセージを送らない要求として認識するように特別に構成されていてもよい。
【００４５】
先の例のうちのいずれの例においても、適切な動作のために、即時的なＢＯＭ、従来のＢＯＭ、またはプロプラエタリメッセージのいずれかを、アナウンスＡＣＫ抑制メッセージであると認識するように、セクタ５００内のすべてのＡＴが特別に構成されている必要はないことが、正しく認識されるだろう。セクタ５００内でより多くのＡＴがアナウンスＡＣＫ抑制メッセージを認識すればするほど、アナウンスＡＣＫメッセージおよび／またはＢＣＭＣＳフロー登録メッセージを送る必要が少なくなることが正しく認識されるだろう。
【００４６】
６２５では、６０５からのアナウンスメッセージを受け取ったものの、アナウンスＡＣＫメッセージをまだ送っていないＡＴ ＢないしＥが、アナウンスＡＣＫ抑制メッセージを受け取る。説明の目的のために、ＡＴ ＢないしＥのそれぞれが、アナウンスＡＣＫ抑制メッセージ（例えば、アナウンスされたＰＴＴセッションに対する即時的なＢＯＭ、アナウンスされたＰＴＴセッションに対する従来のＢＯＭ、プロプラエタリアナウンスＡＣＫ抑制メッセージ等）を認識するように構成されていると仮定する。アナウンスＡＣＫメッセージを送る代わりに、ＡＴ ＢないしＥが、アナウンスＡＣＫメッセージ送信を抑制する。例えば、アナウンスＡＣＫ抑制メッセージが、アナウンスされたＰＴＴセッションに対する「即時的な」ＢＯＭ（例えば、ダウンリンク制御チャネルサイクルの予約されたＢＯＭスロットのスロットよりも、より早いスロットにおいて送信されるＢＯＭ）である場合、ＡＴ ＢないしＥのそれぞれは、アナウンスされたＰＴＴセッションに関係する即時的なＢＯＭを、アナウンスＡＣＫメッセージ等を送らない要求として解釈するように構成されていてもよい。
【００４７】
次に、最初の応答機ＡＴ ＡがアナウンスＡＣＫメッセージを送った後の何らかの時点で、アプリケーションサーバ１７０が、６３０においてダウンリンクブロードキャストチャネル（ＢＣＨ）上で送信されるマルチキャストメッセージをＲＡＮ１２０に提供することによって、ＰＴＴセッションまたは通話を開始する。したがって、６３５および６４０では、それぞれ、ＡＴ ＡないしＥが、アナウンスされたＰＴＴセッションに関係する、６３０において送られたマルチキャストメッセージを監視する。
【００４８】
たとえ、ＡＴ ＢないしＥがアナウンスＡＣＫメッセージを送らなかったとしても、ＡＴ ＢないしＥは、ＰＴＴセッションを監視することを排除せず、ＡＴ Ａと同じ方法で、ダウンリンク制御チャネル上で送られる周期的なＢＯＭを監視し、ＢＣＨ上のマルチキャストメッセージに同調することができ、マルチキャストメッセージは集約的にＰＴＴセッションのマルチキャストメッセージングを含むことが、正しく認識されるだろう。
【００４９】
さらに、アナウンスＡＣＫ抑制メッセージに応答して、アナウンスＡＣＫメッセージのみを抑制させる必要があり、必ずしも、ＢＣＭＣＳフロー登録メッセージを抑制させる必要がないことが正しく認識されるだろう。ＢＣＭＣＳフロー登録メッセージはアナウンスＡＣＫメッセージと束ねられてもよく、一方で、ＢＣＭＣＳフロー登録メッセージは別々に送られてもよい。例えば、所定のＡＴがＢＣＭＣＳフロー登録メッセージを送るか否かは、ＢＯＭフィールドパラメータに基づいていてもよい。ＢＯＭは、一般的に、ページング（ＲＦＰ）フィールド用のレジスタと、ダイナミックブロードキャスト（ＲＦＤＢ）フィールド用のレジスタとを含む。ＲＦＰフィールドおよび／またはＲＦＤＢフィールドが第１の論理レベル（例えば、高い方の論理レベル、すなわち論理「１」）に設定された場合、ＢＯＭを受け取るＡＴは、ＢＣＭＣＳフロー登録メッセージを送るように促されてもよい。そうでない場合、ＲＦＰフィールドおよび／またはＲＦＤＢフィールドが第２の論理レベル（例えば、低い方の論理レベル、すなわち論理「０」）に設定された場合、ＢＯＭを受け取るＡＴは、ＢＣＭＣＳフロー登録メッセージを送るように促されなくてもよい。したがって、アナウンスＡＣＫ抑制メッセージがＢＯＭであり、ＲＦＤＢ＝０またはＲＦＰ＝０である場合、ＡＴ ＢないしＥは、アナウンスＡＣＫメッセージまたはＢＣＭＣＳフロー登録メッセージを送らず、アナウンスＡＣＫ抑制メッセージがＢＯＭであり、ＲＦＤＢ＝１またはＲＦＰ＝１である場合、ＡＴ ＢないしＥはアナウンスＡＣＫメッセージを送らないが、ＢＣＭＣＳフロー登録メッセージを送る。ＢＯＭフィールドパラメータを通してＢＣＭＣＳフロー登録メッセージをトリガすることに関するさらなる説明のために、「ワイヤレス通信ネットワーク内のクラスタをオーバーラップすることに関係するマルチキャスト通信をサポートする方法」と題する、代理人ドケット番号第０７２３４０Ｐ１号を持つ、２００７年９月２４日に出願された米国仮特許出願番号第６０／９７４，８０８号を参照されたい。この特許出願は、本発明の譲受人によって譲渡され、その全体が参照によりここに明確に組み込まれている。
【００５０】
図６に戻ると、６１５において、ＰＴＴセッションをサポートするのに十分なリソースを基地局５０５が持たないことをＲＡＮ１２０が決定した場合、プロセスは、図７の７００に進む。図７の７００では、ＲＡＮ１２０が、（例えば、基地局５０５を通して）ブロードキャスト拒否メッセージ（ＢＲＭ）をＡＴ ＡないしＥに送信する。ＢＲＭは、技術的によく知られており、１ｘＥＶ−ＤＯ標準規格によって規定されている。また、７０５において、基地局５０５はＰＴＴセッションをサポートできないことをＲＡＮ１２０がアプリケーションサーバ１７０に通知する。７１０において、ＡＴ Ａは、ＢＲＭを受け取り、ＢＲＭを、アナウンスメッセージを無視する要求として解釈する。言い換えると、ＡＴ Ａは、（例えば、たとえ、６１０において、ＡＴ Ａが、ＢＣＭＣＳフロー登録メッセージを含むアナウンスＡＣＫメッセージを送ることによって、アナウンスされたＰＴＴセッションに対して登録することを以前に試行したとしても）アナウンスされたＰＴＴセッションを監視することを試行しないことによってアナウンスメッセージを無視する。同様に、７１５において、ＡＴ ＢないしＥはまた、ＢＲＭを受け取り、ＢＲＭを、アナウンスメッセージを無視する要求として解釈する。言い換えると、ＡＴ Ａに類似して、ＡＴ ＢないしＥは、アナウンスされたＰＴＴセッションを監視および／または登録することを試行しないことによってアナウンスメッセージを無視する。
【００５１】
図６および７が「ＲＡＮ実現される」アナウンスＡＣＫ抑制プロセスに向けられている一方で、代替実施形態では、アプリケーションまたはＰＴＴサーバ１７０がアナウンスＡＣＫ抑制メッセージを発生させてもよい。
【００５２】
図８は、本発明の別の実施形態にしたがった、マルチキャストメッセージングプロセスを図示している。図８中の、８００、８０５、および８１０は、それぞれ、図６の６００、６０５、および６１０に対応しており、したがって、簡潔にするために、さらに記述しない。
【００５３】
８１５において、アプリケーションサーバ１７０がアナウンスＡＣＫを最初の応答機ＡＴ Ａから受け取った後、アプリケーションサーバ１７０が、アナウンスＡＣＫ抑制メッセージをＲＡＮ１２０に送り、ＲＡＮ１２０が、図５のセクタ５００内の基地局５０５において、（例えば、ダウンリンク制御チャネル、ダウンリンクブロードキャストチャネル（ＢＣＨ）等上で）アナウンスＡＣＫ抑制メッセージを送信する。図８内で明示的に示していないが、アプリケーションサーバ１７０から送られたアナウンスＡＣＫ抑制メッセージは、８０５においてアナウンスメッセージを送信したそれぞれのセクタに送られてもよい。別の例では、アプリケーションサーバから送られたアナウンスＡＣＫ抑制メッセージは、ワイヤレス通信システムの所定の「クラスタ」内で送られてもよい。例えば、クラスタは、ダウンリンクブロードキャストチャネルの所定のインターレースマルチプレクスペア上でマルチキャストフローを伝える、連続的な組のセクタに対応しており、連続的な組のセクタは、（ｉ）１つ以上のマルチキャストグループメンバーを含むと予測されているターゲットセクタと、（ｉｉ）ターゲットセクタとの所定の関係を満たし、何らかのマルチキャストグループメンバーを含むと予測されず、その上、ターゲットセクタを「サポート」するためにマルチキャストフローを伝えるように構成されているサポーティングセクタと、の双方を含む。クラスタ、ターゲットセクタ、およびサポーティングセクタは、「ワイヤレス通信ネットワーク内のクラスタをオーバーラップすることに関係するマルチキャスト通信をサポートする方法」と題する、代理人ドケット番号第０７２３４０Ｐ１号を持つ、２００７年９月２４日に出願された米国仮特許出願番号第６０／９７４，８０８号内でより詳細に記述されており、この特許出願は、本発明の譲受人に譲渡され、その全体が参照によりここに明確に組み込まれている。したがって、ワイヤレス通信システムの１つの（または、より多い）クラスタにおいて、アナウンスＡＣＫ抑制メッセージが送られてもよい。この例では、アナウンスＡＣＫ抑制メッセージは、プロプラエタリメッセージであってもよく、各マルチキャストグループメンバーまたはＡＴは、アナウンスＡＣＫ抑制メッセージを認識し、アナウンスされた特定のＰＴＴセッションに対してアナウンスＡＣＫを送らない要求として、アナウンスＡＣＫ抑制メッセージを解釈するように構成されていてもよい。説明の便宜性のために、すべてのＡＴがアナウンスＡＣＫ抑制メッセージを認識するように構成されていると仮定して、図８のプロセスを以下で記述する。
【００５４】
８２０において、要求されたＰＴＴセッションを取り扱うのに十分なリソースを基地局５０５が持っているか否かを、ＲＡＮ１２０が決定する。例えば、ＲＡＮ１２０の基地局５０５が、すでに、多数のＰＴＴセッションに参加している場合、ダウンリンク帯域幅の量は、比較的制限され、アナウンスされたＰＴＴセッションを取り扱うのに十分なリソースを基地局５０５が持たないことを、ＲＡＮ１２０が決定してもよい。十分なリソースが利用可能でないことをＲＡＮ１２０が決定した場合、プロセスは、図７の７００に進む。
【００５５】
８２５では、アナウンスメッセージを８０５から受け取ったものの、アナウンスＡＣＫメッセージをまだ送っていないＡＴ ＢないしＥが、アプリケーションサーバ１７０において発生されたアナウンスＡＣＫ抑制メッセージを受け取る。アナウンスＡＣＫメッセージを送る代わりに、ＡＴ ＢないしＥは、アナウンスＡＣＫメッセージ送信を抑制する。例えば、アナウンスＡＣＫ抑制メッセージがプロプエタリダウンリンク制御メッセージとして具体化される場合、ＡＴ ＢないしＥのそれぞれは、プロプエタリダウンリンク制御メッセージを、アナウンスされたＰＴＴセッションに対するアナウンスＡＣＫメッセージを送らない要求として解釈するように構成されている。
【００５６】
次に、最初の応答機ＡＴ ＡがアナウンスＡＣＫメッセージを送った後の何らかの時点で、アプリケーションサーバ１７０が、８３０においてダウンリンクブロードキャストチャネル（ＢＣＨ）上で送信されるマルチキャストメッセージをＲＡＮ１２０に提供することによって、ＰＴＴセッションまたは通話を開始する。したがって、８３５および８４０では、それぞれ、ＡＴ ＡないしＥが、アナウンスされたＰＴＴセッションに関係する、８３０において送られたマルチキャストメッセージを監視する。
【００５７】
たとえ、ＡＴ ＢないしＥがアナウンスＡＣＫメッセージを送らなかったとしても、ＡＴ ＢないしＥは、ＰＴＴセッションを監視することを排除せず、ＡＴ Ａと同じ方法で、ダウンリンク制御チャネル上のＢＯＭと、ＢＣＨ上のマルチキャストメッセージとを監視でき、マルチキャストメッセージは集約的にＰＴＴセッションのマルチキャストメッセージングを含むことが、正しく認識されるだろう。さらに、アナウンスＡＣＫメッセージのみを抑制させる必要があり、必ずしもＢＣＭＣＳフロー登録メッセージを抑制させる必要がないことが正しく認識されるだろう。ＢＣＭＣＳフロー登録メッセージングをトリガする、または、抑制するのいずれかのために使用されるＢＯＭ内のＲＦＤＢフィールドおよびＲＦＰフィールドに関して、上記の図６の記述において、より詳細にこの概念を説明した。
【００５８】
本発明の先に記述した実施形態は、アナウンスＡＣＫ抑制メッセージが、セクタを受け持っている基地局または集中型ＰＴＴサーバのいずれから、所定のセクタ内のＡＴに送られる特定のインプリメンテーションに向けられているが、アナウンスされたＰＴＴセッションに対する最初の応答機を認識する何らかの通信エンティティが、アナウンスＡＣＫ抑制メッセージの送信を開始できることが正しく認識されるだろう。したがって、本発明の他の実施形態は、ＰＴＴセッションに対する最初の応答機に応答して、アナウンスＡＣＫ抑制メッセージが１つ以上のセクタに送信されるあらゆるインプリメンテーションに向けられている。
【００５９】
さまざまな異なるテクノロジーおよび技術のうちの任意のものを使用して、情報および信号が表されてもよいことを、当業者は正しく認識するだろう。上記の詳細な説明全体を通して参照した、例えば、データ、命令、コマンド、情報、信号、ビット、シンボル、およびチップは、電圧、電流、電磁波、磁気フィールドまたは微粒子、光学フィールドまたは光学微粒子、あるいはこれらの任意の組み合わせによって表されてもよい。
【００６０】
さらに、ここに開示した実施形態に関連して記述した、さまざまな例示的な論理ブロック、モジュール、回路およびアルゴリズムステップが、電子ハードウェア、コンピュータソフトウェア、あるいは双方を組み合わせたものとして実現されてもよいことを、当業者はさらに正しく認識するだろう。ハードウェアおよびソフトウェアのこの互換性を明確に図示するために、さまざまな例示的なコンポーネント、ブロック、モジュール、回路およびステップを、一般的に、これらの機能性の観点から先に記述している。この機能性が、ハードウェアまたはソフトウェアとして実現されるか否かは、全システムに課せられている特定のアプリケーションおよび設計制約に依存する。熟練者が、それぞれの特定のアプリケーションの方法を変えて、記述した機能性を実現するかもしれないが、このようなインプリメンテーションの決定は、本発明の範囲から逸脱が生じるとして解釈されるべきでない。
【００６１】
ここで開示した実施形態に関連して記述した、さまざまな例示的な論理ブロック、モジュール、および回路は、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラマブルロジックデバイス、ディスクリートゲートまたはトランジスタロジック、ディスクリートハードウェアコンポーネント、あるいは、ここで記述した機能を実行するように設計されたこれらの任意の組み合わせで実現されるか、あるいは、実行されてもよい。汎用プロセッサはマイクロプロセッサであってもよいが、代替実施形態では、プロセッサは、何らかの従来のプロセッサ、制御装置、マイクロ制御装置、または状態機械であってもよい。プロセッサはまた、コンピューティングデバイスの組み合わせとして、例えば、ＤＳＰとマイクロプロセッサの組み合わせとして、複数のマイクロプロセッサとして、ＤＳＰコアに関連した１つ以上のマイクロプロセッサとして、あるいは、このような構成の他の何らかのものとして実現されてもよい。
【００６２】
ここに開示した実施形態と関連して記述した方法、シーケンス、および／またはアルゴリズムは、ハードウェアで、プロセッサにより実行されるソフトウェアモジュールで、あるいは、２つのものを組み合わせたもので直接的に具体化されてもよい。ソフトウェアで実現された場合、機能は、１つ以上の命令またはコードとしてコンピュータ読み取り可能媒体上に記憶されてもよく、あるいは、１つ以上の命令またはコードとしてコンピュータ読み取り可能媒体上に送信されてもよい。コンピュータ読み取り可能媒体は、１つの場所から別の場所へのコンピュータプログラムの転送を促進する何らかの媒体を含むコンピュータ記憶媒体および通信媒体の双方を含む。記憶媒体は、コンピュータによってアクセスできる何らかの利用可能な媒体であってもよい。例示によると、このようなコンピュータ読み取り可能な媒体は、ＲＡＭ、ＲＯＭ、ＥＥＰＲＯＭ、ＣＤ−ＲＯＭまたは他の光ディスク記憶デバイス、磁気ディスク記憶または他の磁気記憶デバイス、あるいはコンピュータによってアクセスできる命令またはデータ構成の形態で所望のプログラムコードを伝送または記憶するために使用できる他の何らかの媒体を含んでいてもよいが、これらに限定されない。また、あらゆる接続は、コンピュータ読み取り可能媒体と適切に呼ばれている。例えば、ソフトウェアが、ウェブサイト、サーバ、あるいは同軸ケーブルや、ファイバ光ケーブルや、撚り対や、デジタル加入者線（ＤＳＬ）、あるいは赤外線、無線、マイクロ波のようなワイヤレス技術を使用している他の遠隔ソースから送信された場合、同軸ケーブル、ファイバ光ケーブル、撚り対、ＤＳＬ、あるいは赤外線、無線、およびマイクロ波のようなワイヤレス技術は、媒体の定義に含まれる。ここで使用したようなディスク（ｄｉｓｋおよびｄｉｓｃ）は、コンパクトディスク（ＣＤ）、レーザディスク、光ディスク、デジタル汎用ディスク（ＤＶＤ）、フロッピ（登録商標）ディスク、ブルーレイディスクを含んでいてもよいが、一般的に、ディスク（ｄｉｓｋ）は、データを磁気的に再生する一方で、ディスク（ｄｉｓｃ）はデータをレーザによって光学的に再生する。先のものを組み合わせたものもまた、コンピュータ読み取り可能媒体の範囲内に含められるべきである。
【００６３】
先述の開示は、本発明の例示的な実施形態を示しているが、添付した特許請求の範囲によって規定したような本発明の範囲を逸脱することなく、ここでさまざまな変更および改良することができることに、留意すべきである。ここで記述した本発明の実施形態にしたがった機能、方法クレームのステップおよび／またはアクションは、何らかの特定の順序で実行される必要はない。さらに、本発明の構成要素は単数形で記述され、または、特許請求の範囲に記載されているが、単数形に対する限定が明示的に示されない限り、複数形を意図している。
【図１】
2010541389.tif 000003
【図２】
2010541389.tif 000004
【図３】
2010541389.tif 000005
【図４】
2010541389.tif 000006
【図５】
2010541389.tif 000007
【図６】
2010541389.tif 000008
【図７】
2010541389.tif 000009
【図８】
2010541389.tif 000010
【国際調査報告】
2010541389.tif 000011
2010541389.tif 000012
2010541389.tif 000013
2010541389.tif 000014